(57)【要約】【課題】端子位置が異なる複数種の電子機器に対して共通のバッテリ部材を使用することが可能な電子機器用装着デバイスを提供すること。【解決手段】電子機器６０Ａに装着される電子機器用装着デバイス１０であって、バッテリ２０と、バッテリ部材３０と、バッテリ部材３０に着脱可能に取り付けられるカバー４０Ａとを備え、バッテリ部材３０は、第１の位置に設けられた第１の給電端子３１Ａと、第１の位置とは異なる第２の位置に設けられた第２の給電端子３１Ｂとを有し、カバー４０Ａは、第１の給電端子３１Ａおよび第２の給電端子３１Ｂのいずれか一方を露出させる開口部４１Ａを有している電子機器用装着デバイス１０。【選択図】図２
2013162705.tif 000002
【特許請求の範囲】
【請求項１】
電子機器に装着される電子機器用装着デバイスであって、
バッテリと、バッテリ部材と、前記バッテリ部材に着脱可能に取り付けられるカバーとを備え、
前記バッテリ部材は、第１の位置に設けられた第１の給電端子と、前記第１の位置とは異なる前記第２の位置に設けられた第２の給電端子とを有し、
前記カバーは、前記第１の給電端子および前記第２の給電端子のいずれか一方を露出させる開口部を有していることを特徴とする電子機器用装着デバイス。
【請求項２】
前記カバーは、前記電子機器に装着するための装着部を有していることを特徴とする請求項１に記載の電子機器用装着デバイス。
【請求項３】
前記バッテリ部材は、前記電子機器に対する近接方向の前後に前記第１の給電端子を移動させる第１の移動手段と、前記第１の移動手段による前記第１の給電端子の移動の前後を切り替える第１の切替手段と、前記電子機器に対する近接方向の前後に前記第２の給電端子を移動させる第２の移動手段と、前記第２の移動手段による前記第２の給電端子の移動の前後を切り替える第２の切替手段とを更に有していることを特徴とする請求項１または請求項２に記載の電子機器用装着デバイス。
【請求項４】
前記第１の切替手段は、前記第１の位置の近傍に配置され、
前記第２の切替手段は、前記第２の位置の近傍に配置されていることを特徴とする請求項３に記載の電子機器用装着デバイス。
【請求項５】
前記バッテリ部材は、前記電子機器に対する装着時に前記電子機器に対して係合するための第１のロック部および第２のロック部を更に有し、
前記第１のロック部は、前記第１の移動手段によって前記第１の給電端子と共に前記近接方向の前後に移動し、
前記第２のロック部は、前記第２の移動手段によって前記第２の給電端子と共に前記近接方向の前後に移動するように構成されていることを特徴とする請求項３または請求項４に記載の電子機器用装着デバイス。
【請求項６】
前記バッテリ部材は、前記電子機器用装着デバイスの前記電子機器への装着の有無を検出する装着検出手段と、前記バッテリによる給電の有無を切り替える給電切替手段とを更に有し、
前記給電切替手段は、前記装着検出手段によって前記電子機器への装着状態にあると検出された場合に、前記バッテリから前記給電端子に対して通電を行うことを特徴とする請求項１乃至請求項５のいずれか１項に記載の電子機器用装着デバイス。
【発明の詳細な説明】
【技術分野】
【０００１】
本発明は、電子機器に装着される電子機器用装着デバイスに関する。
【背景技術】
【０００２】
従来、電子機器に装着される電子機器用装着デバイスであって、電子機器に電力を補助的に供給し、電子機器に設けられた標準バッテリ上に取り付けられる補助バッテリ本体と、補助バッテリ本体に電気的に接続され電子機器の充電端子に電気的に接続される給電端子とを有する電子機器用装着デバイスが知られている（例えば、特許文献１参照。）。
【先行技術文献】
【特許文献】
【０００３】
【特許文献１】実用新案登録第３０８５７４５号公報
【発明の概要】
【発明が解決しようとする課題】
【０００４】
ところが、一般に、電子機器における充電端子の端子位置は電子機器ごとに様々であり、給電端子を固定状態で配置した電子機器用装着デバイスを電子機器上の所定位置に装着する場合、当該電子機器用装着デバイスは、給電端子の位置に対応する位置に充電端子が配置された電子機器についてのみ使用でき、給電端子の位置に対応しない位置に充電端子が配置された電子機器については使用できないという問題があった。
【０００５】
そこで、本発明は、従来の問題を解決するものであって、すなわち、本発明の目的は、端子位置が異なる複数種の電子機器に対して共通のバッテリ部材を使用することが可能な電子機器用装着デバイスを提供することである。
【課題を解決するための手段】
【０００６】
本発明の電子機器用装着デバイスは、電子機器に装着される電子機器用装着デバイスであって、バッテリと、バッテリ部材と、前記バッテリ部材に着脱可能に取り付けられるカバーとを備え、前記バッテリ部材は、第１の位置に設けられた第１の給電端子と、前記第１の位置とは異なる前記第２の位置に設けられた第２の給電端子とを有し、前記カバーは、前記第１の給電端子および前記第２の給電端子のいずれか一方を露出させる開口部を有していることにより、前述した課題を解決したものである。
【発明の効果】
【０００７】
本発明の電子機器用装着デバイスによれば、装着対象となる電子機器の充電端子の端子位置に応じてカバーを選択しバッテリ部材に取り付けることで、カバーの開口部を通して電子機器の端子位置に対応する給電端子のみを露出させることが可能であるため、端子位置が異なる複数種の電子機器に対して共通のバッテリ部材を使用できる。
【図面の簡単な説明】
【０００８】
【図１】本発明の第１実施形態である電子機器用装着デバイスの装着対象である第１の電子機器および第２の電子機器を示す平面図および底面図である。
【図２】第１のカバー、第２のカバー、およびバッテリ部材を示す斜視図である。
【図３】バッテリ部材に対して第１のカバーを取り付けた状態を示す斜視図である。
【図４】図３とは異なる方向から見て、バッテリ部材に対して第１のカバーを取り付けた状態を示す斜視図である。
【図５】バッテリ部材に対して第２のカバーを取り付けた状態を示す斜視図である。
【図６】本発明の第２の実施形態である電子機器用装着デバイスを電子機器に装着した状態を示す平面図である。
【図７】本発明の第２の実施形態である電子機器用装着デバイスを示す斜視図である。
【図８】図７に示すＣ部分を拡大して示す斜視図、および移動制御部を拡大して示す斜視図である。
【図９】図７とは異なる方向から見て、電子機器用装着デバイスを示す斜視図である。
【発明を実施するための形態】
【０００９】
以下、本発明の電子機器用装着デバイスの複数の実施形態について、図面に基づいて説明する。
【実施例】
【００１０】
本発明の第１実施形態である電子機器用装着デバイス１０は、予備用のバッテリ２０およびマルチメディア放送用の各種機能を有し、装着対象である電子機器６０Ａ、６０Ｂ上の所定位置に装着されて使用されるものである。なお、本実施形態では、電子機器用装着デバイス１０がマルチメディア放送用の放送機能を有しているものとして説明するが、電子機器用装着デバイス１０に当該放送機能を設けなくてもよく、また、その他の機能を電子機器用装着デバイス１０に設けてもよい。
【００１１】
本実施形態においては、電子機器用装着デバイス１０の装着対象として、図１に示すように、充電端子６１Ａ、６１Ｂの端子位置、および、断面形状や厚みが異なる２つの電子機器６０Ａ、６０Ｂを例示している。電子機器６０Ａ、６０Ｂは、いずれも、携帯端末として構成され、具体的には所謂スマートフォンとして構成されている。第１の電子機器６０Ａは、第１の機器側バッテリ６２Ａを有し、第２の電子機器６０Ｂは、第２の機器側バッテリ６２Ｂを有している。
【００１２】
電子機器用装着デバイス１０は、図２に示すように、バッテリ２０と、バッテリ２０を搭載したバッテリ部材３０と、装着対象となる電子機器６０Ａ、６０Ｂに応じてバッテリ部材３０に対して択一的に取り付けられるカバー４０Ａ、４０Ｂとを備えている。
【００１３】
バッテリ部材３０は、第１の給電端子３１Ａと、第２の給電端子３１Ｂと、第１のロックピン３２Ａと、第２のロックピン３２Ｂと、第１の移動制御部３３Ａと、第２の移動制御部３３Ｂと、第１の切替部３４Ａと、第２の切替部３４Ｂと、装着検出部３５と、給電切替部３６と、マルチメディア放送用のアンテナ（図示しない）および各種回路（図示しない）とを有している。
【００１４】
第１の給電端子３１Ａは、図２に示すように、電子機器６０Ａ、６０Ｂに対する装着時に電子機器６０Ａ、６０Ｂに対向するバッテリ部材３０の裏面上における第１の位置に２つ配置されている。第１の給電端子３１Ａは、バッテリ２０に接続され、第１の電子機器６０Ａに対する装着時に、第１の電子機器６０Ａの第１の充電端子６１Ａに接触する端子である。
【００１５】
第２の給電端子３１Ｂは、図２に示すように、バッテリ部材３０の裏面上において第１の位置とは異なる第２の位置に２つ配置されている。第２の給電端子３１Ｂは、バッテリ２０に接続され、第２の電子機器６０Ｂに対する装着時に、第２の電子機器６０Ｂの第２の充電端子６１Ｂに接触する端子である。
【００１６】
第１のロックピン３２Ａは、図２に示すように、第１の位置に配置されている。第１のロックピン３２Ａは、第１の電子機器６０Ａに対する装着時に、第１の電子機器６０Ａの第１のピン受け部６３Ａ内に挿入され、第１の電子機器６０Ａに対する電子機器用装着デバイス１０の外れを阻止する部位である。
【００１７】
第２のロックピン３２Ｂは、図２に示すように、第２の位置に配置されている。第２のロックピン３２Ｂは、第２の電子機器６０Ｂに対する装着時に、第２の電子機器６０Ｂの第２のピン受け部６３Ｂ内に挿入され、第２の電子機器６０Ｂに対する電子機器用装着デバイス１０の外れを阻止する部位である。
【００１８】
第１の移動制御部３３Ａは、使用者による第１の切替部３４Ａの操作に応じて、第１の給電端子３１Ａおよび第１のロックピン３２Ａを、第１の電子機器６０Ａに対する近接方向の前後に移動させる。第１の移動制御部３３Ａは、第１の電子機器６０Ａに対する装着時に、第１の給電端子３１Ａが第１の充電端子６１Ａに接触する程度に第１の給電端子３１Ａを第１の電子機器６０Ａ側に移動させ、また、第１のロックピン３２Ａが第１のピン受け部６３Ａに係合する程度に第１のロックピン３２Ａを第１の電子機器６０Ａ側に移動させる。
【００１９】
第２の移動制御部３３Ｂは、使用者による第２の切替部３４Ｂの操作に応じて、第２の給電端子３１Ｂおよび第２のロックピン３２Ｂを、第２の電子機器６０Ｂに対する近接方向の前後に移動させる。第２の移動制御部３３Ｂは、第２の電子機器６０Ｂに対する装着時に、第２の給電端子３１Ｂが第２の充電端子６１Ｂに接触する程度に第２の給電端子３１Ｂを第２の電子機器６０Ｂ側に移動させ、また、第２のロックピン３２Ｂが第２のピン受け部６３Ｂに係合する程度に第２のロックピン３２Ｂを第２の電子機器６０Ｂ側に移動させる。
【００２０】
第１の切替部３４Ａは、使用者によって操作され、第１の移動制御部３３Ａによる第１の給電端子３１Ａおよび第１のロックピン３２Ａの移動の前後を切り替える部位であり、図５に示すように、第１の位置に近接したバッテリ部材３０の側面に設けられている。第１の切替部３４Ａは、第１の移動制御部３３Ａに一体に設けられ、または、連結されている。第１の切替部３４Ａは、バッテリ部材３０に対して第１のカバー４０Ａを取り付けた状態で、第１のカバー４０Ａにより覆われておらず外部露呈し、操作可能な状態にある。また、第１の切替部３４Ａは、バッテリ部材３０に対して第２のカバー４０Ｂを取り付けた状態で、その一部分が第２のカバー４０Ｂによって覆われ、これにより、バッテリ部材３０に対して第２のカバー４０Ｂを取り付けた状態での、第１の切替部３４Ａの操作、および、第１の給電端子３１Ａおよび第１のロックピン３２Ａの移動を防止できる。
【００２１】
第２の切替部３４Ｂは、使用者によって操作され、第２の移動制御部３３Ｂによる第２の給電端子３１Ｂおよび第２のロックピン３２Ｂの移動の前後を切り替える部位であり、図５に示すように、第２の位置に近接したバッテリ部材３０のおもて面（前記裏面の反対側の面）に設けられている。第２の切替部３４Ｂは、第２の移動制御部３３Ｂに一体に設けられ、または、連結されている。第２の切替部３４Ｂは、バッテリ部材３０に対して第２のカバー４０Ｂを取り付けた状態で、外部露呈し、操作可能な状態にある。また、第２の切替部３４Ｂは、バッテリ部材３０に対して第１のカバー４０Ａを取り付けた状態では、バッテリ部材３０に取り付けられるキャップ（図示しない）によって覆われ、これにより、バッテリ部材３０に対して第１のカバー４０Ａを取り付けた状態での、第２の切替部３４Ｂの操作、および、第２の給電端子３１Ｂおよび第２のロックピン３２Ｂの移動を防止できる。
【００２２】
装着検出部３５は、電子機器６０Ａ、６０Ｂへの電子機器用装着デバイス１０の装着の有無を検出する部位である。具体的には、バッテリ部材３０は、押圧により陥没、倒れこみ等、変形する突起部を有しており、電子機器６０Ａ、６０Ｂに対する装着時には、当該突起部は、電子機器６０Ａ、６０Ｂによる押し込み動作により傾斜する。そして、装着検出部３５が、当該突起部の傾斜状態を検出すると、バッテリ２０から給電端子３１Ａ、３１Ｂへの導電を開始し、装着検出部３５が、電子機器６０Ａ、６０Ｂに対する電子機器用装着デバイス１０の装着を検知していない場合には、給電端子３１Ａ、３１Ｂへの給電処理を停止する。
【００２３】
給電切替部３６は、バッテリ２０による給電の有無を切り替える回路であり、装着検出部３５によって電子機器６０Ａ、６０Ｂへの装着状態にあると検出された場合に、バッテリ２０から給電端子３１Ａ、３１Ｂに対して通電を行う。
【００２４】
第１のカバー４０Ａは、電子機器用装着デバイス１０を第１の電子機器６０Ａに対して装着する際に、バッテリ部材３０の裏面側に着脱可能に取り付けられるカバーである。
【００２５】
第１のカバー４０Ａは、図２に示すように、第１の開口部４１Ａと、第１の覆い部４２Ａと、第１の装着部４３Ａとを有している。
【００２６】
第１の開口部４１Ａは、第１の給電端子３１Ａおよび第１のロックピン３２Ａが形成された第１の位置に対応する位置に形成され、図３に示すように、バッテリ部材３０に対して第１のカバー４０Ａを取り付けた際に、第１の給電端子３１Ａおよび第１のロックピン３２Ａを外部に露出させる開口部である。
【００２７】
第１の覆い部４２Ａは、第２の給電端子３１Ｂおよび第２のロックピン３２Ｂが形成された第２の位置に対応する位置に形成され、図３に示すように、バッテリ部材３０に対して第１のカバー４０Ａを取り付けた際に、第２の給電端子３１Ｂおよび第２のロックピン３２Ｂを覆う部位である。
【００２８】
第１の装着部４３Ａは、電子機器用装着デバイス１０を第１の電子機器６０Ａに対して装着する際に、第１の電子機器６０Ａに係合し、第１の電子機器６０Ａからの電子機器用装着デバイス１０の外れを阻止する部位である。第１の装着部４３Ａは、図２に示すように、第１のカバー４０Ａを平面視した場合における第１のカバー４０Ａの４辺のうち３辺に、第１の電子機器６０Ａの外形に適合するように、第１の電子機器６０Ａ側に向けて立設されている。第１の電子機器６０Ａは、第１の装着部４３Ａが形成されていない残りの１辺から、対向する２辺に形成された第１の装着部４３Ａによって支持されながら、第１のカバー４０Ａ内に挿入されることで、第１のカバー４０Ａに対して装着される。そして、上述したように第１の電子機器６０Ａが第１のカバー４０Ａに対して装着された後には、使用者による第１の切替部３４Ａの操作に応じて第１の移動制御部３３Ａによって第１のロックピン３２Ａが移動し、第１のロックピン３２Ａが第１のピン受け部６３Ａに係合することにより、第１の電子機器６０Ａに対する電子機器用装着デバイス１０の外れが完全に阻止される。
【００２９】
第２のカバー４０Ｂは、電子機器用装着デバイス１０を第２の電子機器６０Ｂに対して装着する際に、バッテリ部材３０の裏面側に着脱可能に取り付けられるカバーである。
【００３０】
第２のカバー４０Ｂは、図２に示すように、第２の開口部４１Ｂと、第２の覆い部４２Ｂと、第２の装着部４３Ｂとを有している。
【００３１】
第２の開口部４１Ｂは、第２の給電端子３１Ｂおよび第２のロックピン３２Ｂが形成された第２の位置に対応する位置に形成され、バッテリ部材３０に対して第２のカバー４０Ｂを取り付けた際に、第２の給電端子３１Ｂおよび第２のロックピン３２Ｂを外部に露出させる開口部である。
【００３２】
第２の覆い部４２Ｂは、第１の給電端子３１Ａおよび第１のロックピン３２Ａが形成された第１の位置に対応する位置に形成され、バッテリ部材３０に対して第２のカバー４０Ｂを取り付けた際に、第１の給電端子３１Ａおよび第１のロックピン３２Ａを覆う部位である。
【００３３】
第２の装着部４３Ｂは、電子機器用装着デバイス１０を第２の電子機器６０Ｂに対して装着する際に、第２の電子機器６０Ｂに係合し、第２の電子機器６０Ｂからの電子機器用装着デバイス１０の外れを阻止する部位である。第２の装着部４３Ｂは、図２に示すように、第２のカバー４０Ｂを平面視した場合における第２のカバー４０Ｂの４辺のうち３辺に、第２の電子機器６０Ｂの外形に適合するように、第２の電子機器６０Ｂ側に向けて立設されている。第２の電子機器６０Ｂは、第２の装着部４３Ｂが形成されていない残りの１辺から、対向する２辺に形成された第２の装着部４３Ｂによって支持されながら、第２のカバー４０Ｂ内に挿入されることで、第２のカバー４０Ｂに対して装着される。そして、上述したように第２の電子機器６０Ｂが第２のカバー４０Ｂに対して装着された後には、使用者による第２の切替部３４Ｂの操作に応じて第２の移動制御部３３Ｂによって第２のロックピン３２Ｂが移動し、第２のロックピン３２Ｂが第２のピン受け部６３Ｂに係合することにより、第２の電子機器６０Ｂに対する電子機器用装着デバイス１０の外れが完全に阻止される。
【００３４】
このようにして得られた本実施形態の電子機器用装着デバイス１０では、装着対象となる電子機器６０Ａ、６０Ｂの充電端子６１Ａ、６１Ｂの端子位置に応じて、カバー４０Ａ、４０Ｂを選択しバッテリ部材３０に取り付けることで、カバー４０Ａ、４０Ｂの開口部４１Ａ、４１Ｂを通して電子機器６０Ａ、６０Ｂの端子位置に対応する給電端子３１Ａ、３１Ｂのみを露出させることが可能であるため、端子位置が異なる複数種の電子機器６０Ａ、６０Ｂに対して共通のバッテリ部材３０を使用できる。
【００３５】
また、カバー４０Ａ、４０Ｂが、電子機器６０Ａ、６０Ｂに対する装着時に使用しない側の給電端子３１Ａ、３１Ｂを覆う位置に覆い部４２Ａ、４２Ｂを有していることにより、使用しない側の給電端子３１Ａ、３１Ｂを覆い部４２Ａ、４２Ｂをよって物理的および電気的に遮断することができる。
【００３６】
また、装着対象となる電子機器６０Ａ、６０Ｂに応じて付け替えられるカバー４０Ａ、４０Ｂに、電子機器６０Ａ、６０Ｂに装着するための装着部４３Ａ、４３Ｂが設けられていることにより、電子機器６０Ａ、６０Ｂの厚みや外形や大きさなどが相互に異なる場合であっても、装着対象となる電子機器６０Ａ、６０Ｂの厚みや形状や大きさなどに合わせて各装着部４３Ａ、４３Ｂを形成することで、電子機器６０Ａ、６０Ｂに対して電子機器用装着デバイス１０を適切に装着することができる。
【００３７】
また、バッテリ部材３０が、装着検出部３５と給電切替部３６とを有していることにより、電子機器６０Ａ、６０Ｂに対して電子機器用装着デバイス１０が装着されていない状態で、バッテリ２０から給電端子３１Ａ、３１Ｂへ通電されることを防止できるため、使用者の手を介した動作が必要となる装着作業において、不用意な接触機会を回避できる。
【００３８】
つぎに、本発明の第２の実施形態である電子機器用装着デバイス１０について、図６乃至図９に基づいて以下に説明する。
【００３９】
本実施形態の電子機器用装着デバイス１０は、予備用のバッテリ２０およびマルチメディア放送用の各種機能を有し、装着対象である電子機器６０上の所定位置に装着されて使用されるものである。なお、本実施形態では、電子機器用装着デバイス１０は、マルチメディア放送用の放送機能を有しているが、当該放送機能を設けなくてもよく、また、その他の機能を電子機器用装着デバイス１０に設けてもよい。
【００４０】
本実施形態においては、電子機器用装着デバイス１０の装着対象である電子機器６０は、携帯端末として構成され、具体的には所謂スマートフォンとして構成されている。
【００４１】
電子機器用装着デバイス１０は、図６や図７に示すように、バッテリ２０と、バッテリ２０を搭載したバッテリ部材３０と、バッテリ部材３０に対して取り付けられる保護カバー５０とを備えている。
【００４２】
バッテリ部材３０は、給電端子３１と、ロックピン３２と、移動制御部３３と、切替部３４と、装着検出部３５と、給電切替部（図示しない）と、電池端子３７と、装着部３８と、マルチメディア放送用のアンテナ（図示しない）および各種回路（図示しない）とを有している。
【００４３】
給電端子３１は、図６乃至図９に示すように、電子機器６０に対する装着時に電子機器６０に対向するバッテリ部材３０の裏面上に２つ配置されている。給電端子３１は、バッテリ２０に接続され、電子機器６０に対する装着時に、電子機器６０の充電端子（図示しない）に接触する端子である。
【００４４】
ロックピン３２は、図６乃至図９に示すように、給電端子３１に近接して配置されている。ロックピン３２は、電子機器６０に対する装着時に、電子機器６０のピン受け部（図示しない）内に挿入され、電子機器６０に対する電子機器用装着デバイス１０の外れを阻止する部位である。
【００４５】
移動制御部３３は、使用者による切替部３４の操作に応じて、給電端子３１およびロックピン３２を、電子機器６０に対する近接方向の前後に移動させる。移動制御部３３は、電子機器６０に対する装着時に、給電端子３１が充電端子（図示しない）に接触する程度に給電端子３１を電子機器６０側に移動させ、また、ロックピン３２がピン受け部（図示しない）に係合する程度にロックピン３２を電子機器６０側に移動させる。
【００４６】
切替部３４は、使用者によって操作され、移動制御部３３による給電端子３１およびロックピン３２の移動の前後を切り替える部位であり、図７に示すように、給電端子３１およびロックピン３２の位置に近接したバッテリ部材３０の側面に外部露呈した状態で設けられている。切替部３４は、移動制御部３３に一体に設けられている。
【００４７】
装着検出部３５は、電子機器用装着デバイス１０の電子機器６０への装着の有無を検出する部位である。具体的には、バッテリ部材３０は、押圧により陥没、倒れこみ等、変形する突起部を有しており、電子機器６０に対する装着時には、当該突起部は、電子機器６０による押し込み動作により傾斜する。そして、装着検出部３５が、当該突起部の傾斜状態を検出すると、バッテリ２０から給電端子３１への導電を開始し、装着検出部３５が、電子機器６０に対する電子機器用装着デバイス１０の装着を検知していない場合には、給電端子３１への給電処理を停止する。
【００４８】
給電切替部（図示しない）は、バッテリ２０による給電の有無を切り替える回路であり、装着検出部３５によって電子機器６０への装着状態にあると検出された場合に、バッテリ２０から給電端子３１に対して通電を行う。
【００４９】
装着部３８は、電子機器用装着デバイス１０を電子機器６０に対して装着する際に、電子機器６０に係合し、電子機器６０からの電子機器用装着デバイス１０の外れを阻止する部位である。装着部３８は、図９に示すように、バッテリ部材３０を平面視した場合におけるバッテリ部材３０の４辺のうち３辺に、電子機器６０の外形に適合するように、電子機器６０側に向けて立設されている。電子機器６０は、装着部３８が形成されていない残りの１辺から、対向する２辺に形成された装着部３８によって支持されながらバッテリ部材３０内に挿入されることで、バッテリ部材３０に対して装着される。そして、上述したように電子機器６０がバッテリ部材３０に対して装着された後には、使用者による切替部３４の操作に応じて移動制御部３３によってロックピン３２が移動し、ロックピン３２がピン受け部（図示しない）に係合することにより、電子機器６０に対する電子機器用装着デバイス１０の外れが完全に阻止される。
【００５０】
保護カバー５０は、図７において点線で示されるように、バッテリ部材３０に着脱可能に取り付けられるカバーである。
【００５１】
このようにして得られた本実施形態では、バッテリ部材３０が、装着検出部３５と給電切替部（図示しない）とを有していることにより、電子機器６０に対して電子機器用装着デバイス１０が装着されていない状態で、バッテリ２０から給電端子３１へ通電されることがないため、使用者の手を介した動作が必要となる装着作業において、不用意な接触機会を回避できる。
【符号の説明】
【００５２】
１０    ・・・  電子機器用装着デバイス
２０    ・・・  バッテリ
３０    ・・・  バッテリ部材
３１    ・・・  給電端子
３１Ａ  ・・・  第１の給電端子
３１Ｂ  ・・・  第２の給電端子
３２    ・・・  ロックピン（ロック部）
３２Ａ  ・・・  第１のロックピン（第１のロック部）
３２Ｂ  ・・・  第２のロックピン（第２のロック部）
３３    ・・・  移動制御部（移動手段）
３３Ａ  ・・・  第１の移動制御部（第１の移動手段）
３３Ｂ  ・・・  第２の移動制御部（第２の移動手段）
３４    ・・・  切替部（切替手段）
３４Ａ  ・・・  第１の切替部（第１の切替手段）
３４Ｂ  ・・・  第２の切替部（第２の切替手段）
３５    ・・・  装着検出部（装着検出手段）
３６    ・・・  給電切替部（給電切替手段）
３７    ・・・  電池端子
３８    ・・・  装着部
４０Ａ  ・・・  第１のカバー
４０Ｂ  ・・・  第２のカバー
４１Ａ  ・・・  第１の開口部
４１Ｂ  ・・・  第２の開口部
４２Ａ  ・・・  第１の覆い部
４２Ｂ  ・・・  第２の覆い部
４３Ａ  ・・・  第１の装着部
４３Ｂ  ・・・  第２の装着部
５０    ・・・  保護カバー
６０    ・・・  電子機器
６０Ａ  ・・・  第１の電子機器
６０Ｂ  ・・・  第２の電子機器
６１Ａ  ・・・  第１の充電端子
６１Ｂ  ・・・  第２の充電端子
６２Ａ  ・・・  第１の機器側バッテリ
６２Ｂ  ・・・  第２の機器側バッテリ
６３Ａ  ・・・  第１のピン受け部
６３Ｂ  ・・・  第２のピン受け部
【図１】
2013162705.tif 000003
【図２】
2013162705.tif 000004
【図３】
2013162705.tif 000005
【図４】
2013162705.tif 000006
【図５】
2013162705.tif 000007
【図６】
2013162705.tif 000008
【図７】
2013162705.tif 000009
【図８】
2013162705.tif 000010
【図９】
2013162705.tif 000011